(57)【特許請求の範囲】
【請求項１】
凍結血漿バッグを包み込む一対の熱媒体バッグと前記一対の熱媒体バッグの外側面をそれぞれ加温する一対の板状ヒータと前記熱媒体バッグと前記板状ヒータを所定位置に収納し固定するケースとで構成された凍結血漿解凍用ケースと、
前記面状ヒータの供給電力を調節して前記凍結血漿解凍用ケースの内部温度を一定に保持する温度調節手段と、
前記凍結血漿解凍用ケースを揺動させる揺動手段とで構成された凍結血漿解凍装置であって、
前記熱媒体バッグは、可撓性合成樹脂製シートを成型し製袋したバッグに、流動可能な熱媒体が貯留され密閉されたものであることを特徴とする凍結血漿解凍装置。
【請求項２】
前記ケースはケース本体と蓋とからなるものであり、前記熱媒体バッグは前記ケース本体の内部に張設された第１熱媒体バッグと前記蓋の内側に配設された第２熱媒体バッグで構成され、更に、前記板状ヒータは前記第１熱媒体バッグの下側には配設された第１板状ヒータと前記第２熱媒体バッグの上側には配設された第２板状ヒータで構成されていることを特徴とする請求項１に記載の凍結血漿解凍装置。
【請求項３】
前記第２板状ヒータと前記蓋の内面との間には、凍結血漿バッグを前記第１熱媒体バッグと前記第２熱媒体バッグとの間に適度の強さで挟持するための弾性部材が配置されていることを特徴とする請求項２に記載の凍結血漿解凍装置。
【請求項４】
前記弾性部材は、コイルバネであることを特徴とする請求項３に記載の凍結血漿解凍装置。
【請求項５】
前記熱媒体は、水とポリエチレングリコールの混合物であることを特徴とする請求項１又は２に記載の凍結血漿解凍装置。
【請求項６】
前記温度調節手段は、前記ケースに配設された温度センサと、前記温度センサの検出温度に基づいて前記板状ヒータの供給電力を調節する調節器とで構成されていることを特徴とする請求項１に記載の凍結血漿解凍装置。
【請求項７】
前記揺動手段は、前記凍結血漿解凍用ケースを揺動可能に支持する回転支軸と、前記凍結血漿解凍用ケースを揺動させるクランクアームと、前記クランクアームを駆動するカムと、前記カムを回転させるモータとで構成されていることを特徴とする請求項１に記載の凍結血漿解凍装置。
【発明の詳細な説明】
【技術分野】
【０００１】
本発明は、可撓性合成樹脂製シートを成型し製袋した血液バッグに貯蔵された凍結血漿を解凍する凍結血漿解凍装置に関する。
【背景技術】
【０００２】
従来より、一般病棟やＩＣＵ、ＣＣＵ、透析室などの特殊病棟において、血液バッグに貯蔵された凍結血漿の解凍は、通常は凍結血漿バッグを恒温水槽に浸漬して、場合によっては温水を入れた洗面器に浸漬して行われている。しかしながら、このような温水を用いた解凍方法は衛生的でないという問題がある。
【０００３】
そこで、温水を使用することなく、安全かつ衛生的に血液バッグに貯蔵された凍結血漿を解凍する凍結血漿解凍装置の開発が求められてきた。この求めに応じて、特開２００１−２１８８１７号公報（特許文献１）に開示された凍結血漿解凍装置が提案された。
【０００４】
この従来の凍結血漿解凍装置は、対峙する両壁面に多数の温風吹出ノズルが形成された解凍室に隣接して温風供給チャンバを形成し、この温風供給チャンバへの温風流入部にエアフィルタを配設するとともに、前記温風供給チャンバの外側に前記エアフィルタ面に向けて温風を吹き付ける温風発生装置を配設し、前記解凍室と前記温風発生装置の配設空間とを温風循環路によって連通したことを特徴としたものである。
【０００５】
凍結血漿が貯蔵された凍結血漿バッグは複数個が吊持設備によって吊り状態で前記解凍室に収容され、概ね４０ｍ／ｓ以上の温風を吹き付けられる。これによって、上記の凍結血漿解凍装置は、複数の凍結血漿バッグを従来の浸漬方法の場合と同等の約３０分の解凍時間を達成しているようである。
【０００６】
しかしながら、この従来の凍結血漿解凍装置は恒温水槽よりも大型で価格も高いという問題がある。しかも、送風機と高性能エアフィルタが発生する騒音を防音材で遮音しなければならないという問題もある。
【特許文献１】特開２００１−２１８８１７号公報
【発明の開示】
【発明が解決しようとする課題】
【０００７】
本発明が解決しようとする第１の課題は、血液バッグに貯蔵された凍結血漿を、温水を使用することなく、安全かつ衛生的に、短時間に解凍する凍結血漿解凍装置を提供することである。
本発明が解決しようとする第２の課題は、構成簡単、取り扱い容易、且つ低価格の凍結血漿解凍装置を提供することである。
【課題を解決するための手段】
【０００８】
上記課題を解決するために、可撓性合成樹脂製シートを成型し製袋したバッグに流動可能な熱媒体が貯留され密閉された熱媒体バッグであって温度調節されたヒータで外側から加温されている熱媒体バッグによって凍結血漿バッグを包み込むようにして収容した凍結血漿解凍用ケースを揺動手段によって揺動させ、前記熱媒体バッグ内の熱媒体を流動させて前記ヒータから前記凍結血漿バッグへの効率的な熱伝達を実現した。
【発明の効果】
【０００９】
本発明に係る凍結血漿解凍装置を用いることによって、血液バッグに貯蔵された凍結血漿を、温水を使用することなく、安全かつ衛生的に、短時間に解凍することができるようになった。また、本発明により、構成簡単、取り扱い容易、且つ低価格の凍結血漿解凍装置を実現した。
【発明を実施するための最良の形態】
【００１０】
本発明に係る凍結血漿解凍装置は、一対の熱媒体バッグと前記一対の熱媒体バッグの外側面をそれぞれ加温する一対の板状ヒータと前記熱媒体バッグと前記板状ヒータを所定位置に収納し固定するケースとで構成された凍結血漿解凍用ケースと、
前記面状ヒータの供給電力を調節して前記凍結血漿解凍用ケースの内部温度を一定に保持する温度調節手段と、
前記凍結血漿解凍用ケースを揺動させる揺動手段とで構成された凍結血漿解凍装置であって、
前記熱媒体バッグは、可撓性合成樹脂製シートを成型し製袋したバッグに、流動可能な熱媒体が貯留され密閉されたものであることを特徴とするものである。
【実施例】
【００１１】
本発明の一実施例は、図１の断面図と図２の平面図に示す如く、凍結血漿バッグ１を挟持する第１熱媒体バッグ２と第２熱媒体バッグ３と、第１熱媒体バッグ２の外側面を加温する第１板状ヒータ４と第２熱媒体バッグ３の外側面を加温する第２板状ヒータ５を供えた凍結血漿解凍用ケースと、第１板状ヒータ４と第２板状ヒータ５の供給電力を調節し、前記凍結血漿解凍用ケースの内部温度を一定に保持する温度調節手段と、前記凍結血漿解凍用ケースを揺動させる揺動手段とで構成された凍結血漿解凍装置である。
【００１２】
第１熱媒体バッグ２と第２熱媒体バッグ３はいずれも、可撓性合成樹脂製シートを成型し製袋したバッグに流動可能な熱媒体が貯留され密閉されたものである。前記熱媒体は水とポリエチレングリコールであるが、オイルやフッ素系液体でもよい。
【００１３】
前記ケース３は、蝶番部材１３で結合されたケース本体１１と蓋１２とからなるものである。前記熱媒体バッグは、ケース本体１１の内部に張設された第１熱媒体バッグ２と蓋１２の内側に配設された第２熱媒体バッグ３で構成されている。そして、第１熱媒体バッグ２の外側面はケース本体１１の底面に当接するようにして配置され、ケース本体１１の底面の外側面と第１ヒータ支持板６との間には第１板状ヒータ４が左右を規制板７で左右を規制されて取付けられている。また、第２熱媒体バッグ３の外側面は第２ヒータ支持板９に当接するように配置され、第２ヒータ支持板９ともう一つの第２ヒータ支持板８との間には第２板状ヒータ５が規制板１０で左右を規制されて取付けられている。
【００１４】
ケース１１、蓋１２、第１ヒータ支持板６、規制板７、第２ヒータ支持板８と９、及び規制板１０はアルミニウムなどの熱伝導度の高い材料で作られている。ケース本体１１の底面の外側への第１ヒータ支持板６と規制板７の取付けは皿ビスによって行われているが、接着剤又は図示しない周知の固着手段によって行ってもよい。また、第２ヒータ支持板８と９及び規制板１０の間の結合は皿ビスによって行われているが、接着剤又は図示しない周知の固着手段によって行ってもよい。
【００１５】
図２に示す如く、第１熱媒体バッグ２は可撓性合成樹脂製シートを成型し製袋したバッグに流動可能な熱媒体が貯留され密閉された座布団状バッグであり、少なくとも四隅を係止紐２ａでケース本体１１の内壁に張設されている。同様に、第２熱媒体バッグ３は可撓性合成樹脂製シートを成型し製袋したバッグに流動可能な熱媒体が貯留され密閉された座布団状バッグであり、少なくとも四隅を係止紐３ａ、又はで蓋１２の内壁に張設されている。なお、係止紐２ａと係止紐３ａの代わりにマジックテープ（登録商標）の如き面ファスナーを用いてもよい。
【００１６】
第２板状ヒータ５を支持する第２ヒータ支持板８と蓋１２の天板の内側との間には、コイルバネでの如き弾性部材１４が配設されている。弾性部材１４は、凍結血漿バッグ１をケース本体１１内の第１熱媒体バッグ２上に載置し、蓋１２を閉じたときに、凍結血漿バッグ１を第１熱媒体バッグ２と第２熱媒体バッグ３との間に適度の強さで挟持するように作用するものである。
【００１７】
第１板状ヒータ４と第２板状ヒータ５の供給電力を調節し、前記凍結血漿解凍用ケースの内部温度を一定に保持する温度調節手段は、図１及び図３に示す如く、前記凍結血漿解凍用ケースに配設された温度センサ１６と、温度センサ１６の検出温度に基づいて第１板状ヒータ４と第２板状ヒータ５の供給電力を調節する調節器２１とで構成されている。即ち、調節器２１は接続コード１７と１８を介して第１板状ヒータ４と第２板状ヒータ５にそれぞれ接続され、且つ接続コード１９を介して温度センサ１６に接続されている。また、調節器２１は制御装置２０内でタイマー２２にも接続されている。
【００１８】
また、前記凍結血漿解凍用ケースを揺動させる揺動手段は、図１及び図３に示す如く、前記凍結血漿解凍用ケースを揺動可能に支持する回転支軸と、前記凍結血漿解凍用ケースを揺動させる揺動機構３０とで構成されている。揺動機構３０は、制御装置２０のタイマー２２により作動時間が設定されたモータ２６で駆動される。前記作動時間は解凍予定時間であり、７分から１５分の間で、解凍対象と環境及び設定温度を考慮して定められる適切な時間である。
【００１９】
即ち、前記回転支軸は、第１ヒータ支持板６と規制板７を介してケース本体１１の中心部に固着されたケース側支軸２７と、制御装置側支軸２８とをベアリング２９で回動可能にして結合したものである。
【００２０】
また、揺動機構３０は一端を第１ヒータ支持板６と規制板７を介してケース本体１１の片側端部近くに固定された支持部材２４に回動可能に支持されたクランクアーム２３と、クランクアーム２３の他端が回動可能に支持されたカム２５とで構成されている。
【００２１】
上述の如く構成された本発明に係る凍結血漿解凍装置を用いた凍結血漿の解凍は次のようにして行われる。先ず、利用者は凍結血漿解凍用ケースの取手１５を持って蓋１２を開け、図２に示す如く、ケース本体１１内の第１熱媒体バッグ２上に凍結血漿バッグ１を載置する。
【００２２】
続いて、利用者が凍結血漿解凍用ケースの蓋１２を閉じ、図示しないロック機構で蓋１２をケース本体１１にロックすると、図１に示す如く、凍結血漿バッグ１は第１熱媒体バッグ２と第２熱媒体バッグ３との間に、弾性部材１４の作用を受けて適度の圧力で挟持される。
【００２３】
温度調節器２１の設定温度を設定し、更に解凍予定時間をタイマー２２に設定し、利用者が制御装置の図示しない起動スイッチを入れると、モータ２６は起動し、カム２５を回転させる。すると、カム２５はクランクアーム２３を駆動してケース本体１１と蓋１２からなる凍結血漿解凍用ケースを揺動させる。前記設定温度は、３５℃から３９℃の範囲で、解凍対象と環境を考慮して定められる適切な温度である。
【００２４】
すると、ケース本体１１と蓋１２からなる凍結血漿解凍用ケース内に張設されている第１熱媒体バッグ２と第２熱媒体バッグ３が揺動し、これら熱媒体バッグに貯留されている熱媒体がバッグ内で流動する。即ち、凍結血漿バッグ１によって冷やされた熱媒体と第１板状ヒータ４で加温された熱媒体が第１熱媒体バッグ２内で流動する。同時に、凍結血漿バッグ１によって冷やされた熱媒体と第２板状ヒータ５で加温された熱媒体が第２熱媒体バッグ２内で流動する。このような熱媒体の流動によって、凍結血漿バッグ１には第１板状ヒータ４と第２板状ヒータ５で両側からの熱が、熱媒体が流動しない場合に比較して効率的に伝達される。
【００２５】
タイマー２２に設定された時間が経過すると、モータ２６は停止し、ケース本体１１と蓋１２からなる凍結血漿解凍用ケースの揺動は停止する。また、タイマー２２に設定された時間が経過したときに、温度調節器２１は第１板状ヒータ４と第２板状ヒータ５への電力供給を停止する。そこで、利用者は蓋１２を開け、血漿が解凍された凍結血漿バッグ１をケース本体から取り出す。
【００２６】
以上詳細に説明した通り、本発明は、温度調節されたヒータで外側から加温されている熱媒体バッグによって凍結血漿バッグを包み込むようにして収容した凍結血漿解凍用ケースを揺動手段によって揺動させ、前記熱媒体バッグ内の熱媒体を流動させて前記ヒータから前記凍結血漿バッグへの効率的な熱伝達を実現したことを特徴とする凍結血漿解凍装置である。従って、本発明に係る凍結血漿解凍装置を用いたときの凍結血漿の解凍時間は７分から１５分となり、従来よりも大幅に短縮された。しかも、本発明に係る凍結血漿解凍装置は、構成が簡単で取り扱いが容易なコンパクトな装置である。
【００２７】
なお、凍結血漿解凍用ケースは実施例ではケース本体１１と蓋１２からなるものとしたが、他の構造にすることも可能である。例えば、有底で矩形の蓋付ケースでも実現できる。また、可撓性合成樹脂製シートを成型し製袋したバッグに流動可能な熱媒体が貯留され密閉された熱媒体バッグは、実施例では第１熱媒体バッグ２と第２熱媒体バッグ３の一対のバッグで構成したが、これらを繋げた如き１個の熱媒体バッグであってもよい。
【図面の簡単な説明】
【００２８】
【図１】本発明の一実施例の凍結血漿解凍装置の断面図である。
【図２】本発明の一実施例の凍結血漿解凍装置の蓋を開けた状態の平面図である。
【図３】本発明の一実施例の凍結血漿解凍装置のブロック構成図である。
【符号の説明】
【００２９】
１  凍結血漿バッグ
２  第１熱媒体バッグ
３  第２熱媒体バッグ
４  第１板状ヒータ
５  第２板状ヒータ
６  第１ヒータ支持板
７  規制板
８，９  第２ヒータ支持板
１０  規制板
１１  ケース本体
１２  蓋
１３  蝶番部材
１４  弾性部材
１５  取手
１６  温度センサ
１７，１８，１９  接続コード
２０  制御装置
２１  温度調節器
２２  タイマー
２３  クランクアーム
２４  支持部材
２５  カム
２６  モータ
２７  ケース側支軸
２８  制御装置側支軸
２９  ベアリング
３０  揺動機構
【図１】
0004729369.tif 000002
【図２】
0004729369.tif 000003
【図３】
0004729369.tif 000004